(57)【要約】【課題】ギターやピアノを演奏しながら同時にハーモニカ演奏する際にハーモニカが演奏者の口元から離れることを防止する。【解決手段】略Ｕ字状に形成した吊り金具の両端に外周面に複数の歯を持ち中央に回転軸を通す貫通孔を設けた円板状歯車を円板面を門形吊り金具の面に垂直な姿勢で固定する。門形の保持金具の両足端に先端が二股に分かれた二股部を取り付け、二股部の間に吊り金具の円板状歯車を挿入し、二股部の両足端部に設けた貫通孔から円板状歯車の貫通孔を通してねじを挿通し反対側ねじ先に蝶ナットを螺合させて締め付ける。二股部の間に円板状歯車の歯に噛み合うラチェット爪をバネ機構により歯側に付勢した状態で回動自在に取り付け保持金具と吊り金具との間の角度が開く動きを阻止する。ラチェット爪の噛み合いを解除する解除レバーをラチェット爪と一体に回動する回動軸に固定して設ける。【選択図】図１
0003161659.tif 000002
【実用新案登録請求の範囲】
【請求項１】
演奏者の首回りに吊り下げる略Ｕ字状に形成された吊り金具と門形に形成され門形頂部にハーモニカ挟持機構を備える保持金具とを、双方の両端部を相手側の両端部に回動可能に連結して両金具間の角度を調整可能にしたハーモニカホルダーにおいて、
前記略Ｕ字状に形成された吊り金具の両端には外周面の大部分に複数の歯が形成され、中央に回転軸を通す貫通孔が設けられた薄い円板状歯車が円板面を前記門形吊り金具の両端足を含む面に垂直な姿勢で固定取り付けしてあり、
前記門形に形成された保持金具の両足端には先端が二股に分かれた二股部が取り付けられ、該二股部の間に前記吊り金具の前記円板状歯車を挿入し、二股部の両足端部に設けた貫通孔に門形の内側から前記円板状歯車の前記貫通孔をも貫通してねじを挿通し、反対側に突出したねじ先に蝶ナットを螺合させて締め付けできるようにしてあり、更に、前記二股部の間には前記円板状歯車の歯に噛み合うラチェット爪をバネ機構により前記歯側に付勢した状態で回動自在に取り付けて噛み合い状態においては前記保持金具と前記吊り金具との間の角度が開く方向の動きが阻止されるようにしてあり、該ラチェット爪には前記噛み合いを解除する解除レバーがラチェット爪と一体に回動する回動軸に固定して設けてあることを特徴とするハーモニカホルダー。
【請求項２】
請求項１に記載のハーモニカホルダーにおいて、前記吊り金具への前記円板状歯車の固定取り付けは、円板状歯車から弧状に湾曲した腕を伸ばしてその先に吊り金具の端を固定させ、該湾曲した腕は吊り金具の両足の延長線が円板状歯車の中心から外れた位置を通過することにより前記保持金具を吊り金具側に折り畳んだときに保持金具の前記二股部や門形の足が吊り金具の足に干渉せず、二股部に取り付けた前記解除レバー及びその操作端も腕としないようにその湾曲が調整してあることを特徴とするハーモニカホルダー。
【考案の詳細な説明】
【技術分野】
【０００１】
本考案は、一人でピアノ、ギター等とハーモニカを同時に演奏する際にハーモニカを演奏者の口元に留め置くためのハーモニカホルダーに関する。
【背景技術】
【０００２】
一人の演奏者がギターやピアノを演奏しながら同時にハーモニカの演奏も行なう同時演奏が行なわれる。同時演奏ではハーモニカを手で保持できないため、ハーモニカを保持して演奏者の口元に留め置くハーモニカホルダーが用いられる。図７は、従来の一般的なハーモニカホルダー５０にハーモニカ５１を取り付けた状態の外観図である（例えば、特許文献１参照）。ハーモニカホルダー５０は、演奏者の首回りに吊り下げてハーモニカホルダー５０の落下を防ぐための略Ｕ字状に形成された吊り金具５２と、ハーモニカ５１を保持するための門形に形成された保持金具５３とから構成されている。
【０００３】
保持金具５３には門形金具の頂部中央辺５３ａとの間でハーモニカ５１を挟持するための支持板５５が、その両端部分に設けた二つ孔に細い金属棒で形成された門両足５３ｂを貫通させた状態で頂部中央辺４ａに平行移動可能に取り付けてある。そして、支持板５５は門形金具の各足５３ｂの中程に取り付けたスプリング５６により頂部中央辺５３ａ方向に付勢されており、支持板５５に載せたハーモニカ５１は頂部中央辺５３ａとの間で挟持される構造になっている。
【０００４】
吊り金具５２と保持金具５３は細い金属棒で製作されており、両金具の両端部分にねじの通す小さい輪が形成されて図７に示すように頭の平なねじと蝶ナット５７を使用して連結されている。ハーモニカホルダー５０の演奏を容易にするにはハーモニカ５１を演奏者の口元近くに留め置かねばならず、そのためには吊り金具５２と保持金具５３との間の角度を調整する必要ある。図７に示す従来のハーモニカホルダー５０では、角度を調整した状態で蝶ナット５７を固く締めつけて固定し、演奏中もその状態が維持されるようにしている。
【０００５】
しかし、ハーモニカ５１には重量があり、また演奏時には演奏者の唇によりハーモニカ５１を前方に押しやる力が加わる。このため、蝶ナット５７による固定がその力に耐えきれずに吊り金具５２と保持金具５３との間の角度が調整された状態から開いて前方にズレ、ハーモニカ５１が口元から離れて演奏しづらくなる問題がある。
【先行技術文献】
【特許文献】
【０００６】
【特許文献１】実用新案登録３１０３３８１号公報
【考案の概要】
【考案が解決しようとする課題】
【０００７】
本考案は、従来技術のこうした問題点を解決するためになされたもので、その課題は、ギターやピアノを演奏しながら同時にハーモニカ演奏する際にハーモニカを保持する保持金具の位置がズレてハーモニカが演奏者の口元から離れることを防止できるハーモニカホルダーを提供することにある。
【課題を解決するための手段】
【０００８】
前記課題を解決するための請求項１に記載の考案は、演奏者の首回りに吊り下げる略Ｕ字状に形成された吊り金具と門形に形成され門形頂部にハーモニカ挟持機構を備える保持金具とを、双方の両端部を相手側の両端部に回動可能に連結して両金具間の角度を調整可能にしたハーモニカホルダーにおいて、略Ｕ字状に形成された吊り金具の両端には外周面の大部分に複数の歯が形成され、中央に回転軸を通す貫通孔が設けられた薄い円板状歯車が円板面を門形吊り金具の両端足を含む面に垂直な姿勢で固定取り付けしてあり、門形に形成された保持金具の両足端には先端が二股に分かれた二股部が取り付けられ、該二股部の間に吊り金具の円板状歯車を挿入し、二股部の両足端部に設けた貫通孔に門形の内側から円板状歯車の貫通孔をも貫通してねじを挿通し、反対側に突出したねじ先に蝶ナットを螺合させて締め付けできるようにしてあり、更に、二股部の間には円板状歯車の歯に噛み合うラチェット爪をバネ機構により歯側に付勢した状態で回動自在に取り付けて噛み合い状態においては保持金具と吊り金具との間の角度が開く方向の動きが阻止されるようにしてあり、該ラチェット爪には噛み合いを解除する解除レバーがラチェット爪と一体に回動する回動軸に固定して設けてあることを特徴とするハーモニカホルダーである。
【０００９】
このような構成によればハーモニカの重量や演奏者の唇によりハーモニカを前方に押しやる力が加わったとしてもラチェット構造により保持金具と吊り金具間の角度が開くことが確実に阻止される。このため安定したハーモニカ演奏が可能になる。
【００１０】
また、請求項２に記載の考案は、請求項１に記載のハーモニカホルダーにおいて、吊り金具への円板状歯車の固定取り付けは、円板状歯車から弧状に湾曲した腕を伸ばしてその先に吊り金具の端を固定させ、該湾曲した腕は吊り金具の両足の延長線が円板状歯車の中心から外れた位置を通過することにより保持金具を吊り金具側に折り畳んだときに保持金具の二股部や門形の足が吊り金具の足に干渉せず、二股部に取り付けた解除レバー及びその操作端も腕としないようにその湾曲が調整してあることを特徴とするハーモニカホルダーである。
【００１１】
このような構成によれば不使用時に収納のため保持金具を吊り金具側に折り畳んだ際に、保持金具の二股部や門形の足が吊り金具の部品に干渉しないためコンパクトに収納できる利点を有する。
【図面の簡単な説明】
【００１２】
【図１】本考案に係るハーモニカホルダー１の外観図である。
【図２】ハーモニカホルダー１にハーモニカ２を取り付けた状態の外観図である。
【図３】ラチェット構造部１０の平面図である。
【図４】ラチェット構造部１０の側面図である。
【図５】ラチェット構造部１０の演奏状態における側面図である。
【図６】ハーモニカホルダー１を折り畳んだ状態の側面図である。
【図７】従来のハーモニカホルダーの外観図である。
【考案を実施するための形態】
【００１３】
以下、本考案に係るハーモニカホルダーの構成を図面を参照して説明する。図１は本ハーモニカホルダー１の外観図、図２はハーモニカを取り付けた状態の外観図である。ハーモニカホルダー１は、図７に示した従来のハーモニカホルダー５１と同様に演奏者の首回りに吊り下げてハーモニカホルダー１の落下を防ぐための略Ｕ字状に形成された吊り金具３と、ハーモニカ２を保持するための門形に形成された保持金具４とを、その両端部を相手の両端部に連結させて構成してある。
【００１４】
保持金具４には門形頂部近くにハーモニカ２を挟持するための保持機構が設けてあるが、その構造は従来のハーモニカホルダー５１と同様である。即ち、門形の頂部中央辺４ａとの間でハーモニカ２を挟持するための支持板５がその両端部分に設けた二つの孔に細い金属棒で形成された門両足４ｂを貫通させた状態で頂部中央辺４ａに平行移動可能に取り付けてある。そして、支持板５は門形金具の各足４ｂの中程に取り付けたスプリング６により頂部中央辺４ａ方向に付勢されており、支持板５５に載せたハーモニカ５２は頂部中央辺４ａとの間で挟持される構造にしてある。吊り金具３は演奏者の首回りに吊り下げられる大きさの略Ｕ字状に細い金属棒で形成してある。
【００１５】
本実施形態のハーモニカホルダー１は吊り金具３と保持金具４との結合部１０にラチェット構造を採用した点に特徴がある。図３は、そのラチェット構造部１０の構成を明らかにするために吊り金具３と保持金具４との間の角度を１８０°に開いた状態における図１中の右側のラチェット構造部１０の平面図、図４は同じくその側面図、図５は演奏状態における側面図である。
【００１６】
略Ｕ字状に形成された吊り金具３の両端には、薄い円板状歯車１１が円板面を門形吊り金具３の両足を含む面に垂直な姿勢で固定取り付けしてある。円板状歯車１１の大部分の外周面にはラチェット構造に特有な一方に傾いた三角形状の歯が形成してあり、円板状歯車１１の中央には後述するねじ１５を挿通させる貫通孔１２が形成してある。
【００１７】
他方の門形に形成され保持金具４の両足端には、先端が二股に分かれた二股部１３が固定取り付けしてある。その二股部１３の両先端部には、両先端を直角方向に貫く貫通孔１６が設けてある。吊り金具３と保持金具４とを結合させる際には、各二股部１３の二股の間に吊り金具３の円板状歯車１１をその中央の貫通孔１２を二股部１３の貫通孔１６に位置合わせして装入する。その状態で門形内側から頭の平らなねじ１５を、二股部１３の門内側貫通孔１６、円板状歯車１１の中央貫通孔１２、二股部１３の門外側貫通孔１６の順に挿通させ、門外側貫通孔１６から突出したねじ１５の先端部ねじ山に蝶ナット１７を螺合させて締め付けできるようにしてある。
【００１８】
このような蝶ナット１７による締め付けのみでは吊り金具３と保持金具４との間の角度を一定に維持することは困難である。そのため各二股部１３の間には吊り金具３の円板状歯車１１の歯と噛み合うラチェット爪２０が取り付けてある。そのラチェット爪２０には回動軸２１が固定取り付けし、その両端は二股部１３により回動可能に支持されている。
【００１９】
更に、各二股部１３の間には、ラチェット爪２０の刃先を円板状歯車１１の歯に噛み合わせる方向に付勢するスプリングバネ機構２３が取り付けてある。ラチェット爪２０は、その付勢により刃先が円板状歯車１１の歯に噛み合い、その状態では保持金具４が吊り金具３に対して開く（その間の角度が広がる）方向に回転する動きが阻止されるように取り付けてある。また、ラチェット爪２０に固定取り付けされた回動軸２１には、ラチェット爪２０と円板状歯車１１との噛み合いを解除させるための解除レバー２４が固定取り付けしてある。解除レバー２４は保持金具４の門外側方向にその操作端２５を突出させて取り付けてある。解除レバー２４は回動軸２１を挟んでラチェット爪２０とは反対側に取り付けてあるので、解除レバー２４の操作端２５を円板状歯車１１側に押し動かすことでラチェット爪２０の刃先と円板状歯車１１の歯との噛み合いを解除させることができる。
【００２０】
なお、略Ｕ字状に形成した吊り金具３は円板状歯車１１に直接結合させてもよいが、本実施形態のハーモニカホルダー１では図６に示すように円板状歯車１１から弧状に湾曲した腕３０を伸ばし、その先に吊り金具３の端を固定させている。腕３０は吊り金具３の両足の延長線が円板状歯車１１の中心から外れた位置を通過するように湾曲度が調節してある。これにより保持金具４を吊り金具３側に折り畳んだときに保持金具４の二股部１３や門形の足が吊り金具３の足に干渉しないようにしてある。また、二股部１３に取り付けた解除レバー２４及びその操作端２５は湾曲した腕３０の内側に納まって保持金具４を吊り金具３側に折り畳んだ状態でも腕３０と干渉しないようにしてある。
【００２１】
以上説明した本実施形態のハーモニカホルダー５１は、保持金具４と吊り金具３の結合部１０にラチェット構造を採用することにより演奏中にハーモニカ２を保持する保持金具４が演奏者の口元から離れる方向に移動するのを阻止している。このため演奏者は安心して演奏に専念できる利点を有する。
【符号の説明】
【００２２】
図面中、１はハーモニカホルダー、２はハーモニカ、３は吊り金具、４は保持金具、１２は貫通孔、１１は円板状歯車、１３は二股部、１５はねじ、１６は貫通孔、１７は蝶ナット、２０はラチェット爪、２１は回動軸、２３はスプリングバネ機構、２４は解除レバー、２５は操作端、３０は湾曲した腕を示す。
【図１】
0003161659.tif 000003
【図２】
0003161659.tif 000004
【図３】
0003161659.tif 000005
【図４】
0003161659.tif 000006
【図５】
0003161659.tif 000007
【図６】
0003161659.tif 000008
【図７】
0003161659.tif 000009